(57)【要約】【課題】猫が乗る猫乗り部材の組み替え自由度も猫の遊戯自由度も高く、多数の猫が乗っても、また大型の猫が乗っても十分な支持が可能な強度が得られるようにする。【解決手段】間隔をあけて配設されて上下に延びる４本の支柱１４を一組とする支柱群１５と、支柱１４間を横切る上下に複数段の横架部１６と、支柱１４間に差し込まれて横架部１６に着脱自在に取り付けられる猫乗り部材１２を備える。支柱群１５の内側領域のうち同一高さの横架部１６を有する仮想平面における横架部１６の、支柱群１５の中心点を中心とする仮想円周上に、猫乗り部材１２を固定する複数の固定部を形成し、猫乗り部材１２における固定部に対応する位置に、固定部と結合する被固定部を形成する。固定部は、猫乗り部材１２の差し込み方向を変更しても取り付け可能とする対称配置で形成する。【選択図】図１
2018102232.tif 000002
【特許請求の範囲】
【請求項１】
猫が乗る複数の猫乗り部材が上下に間隔をあけて着脱可能に備えられた猫用遊戯装置であって、
間隔をあけて配設されて上下に延びる３本又は４本の支柱を一組とする支柱群と、
前記支柱間を横切る上下に複数段の横架部と、
前記支柱間に差し込まれて前記横架部に着脱自在に取り付けられる前記猫乗り部材を備え、
前記支柱群の内側領域のうち同一高さの前記横架部を有する仮想平面における前記横架部の、前記支柱群の中心点を中心とする仮想円周上に、前記猫乗り部材を固定する複数の固定部が形成され、
前記猫乗り部材の前記固定部に対応する位置に、前記固定部と結合する被固定部が形成され、
前記固定部が、前記猫乗り部材の差し込み方向を変更しても取り付け可能とする対称配置で形成された
猫用遊戯装置。
【請求項２】
前記固定部が、前記猫乗り部材の差し込み方向を変更しても共通に取り付けに使用される共用固定部である
請求項１に記載の猫用遊戯装置。
【請求項３】
前記被固定部が前記猫乗り部材の長手方向に偏った位置に形成された
請求項１または請求項２に記載の猫用遊戯装置。
【請求項４】
前記猫乗り部材として板部材とハンモックを備えた
請求項１から請求項３のうちいずれか一項に記載の猫用遊戯装置。
【請求項５】
前記支柱群を４本の前記支柱で構成して、２本の前記支柱と前記横架部で構成した片フレームを一対備え、
前記片フレーム同士が連結部材で連結された
請求項１から請求項４のうちいずれか一項に記載の猫用遊戯装置。
【請求項６】
前記支柱に天井と床との間で突っ張る突っ張り手段を備えた
請求項１から請求項５のうちいずれか一項に記載の猫用遊戯装置。
【発明の詳細な説明】
【技術分野】
【０００１】
この発明は、いわゆるキャットタワーと称される猫用遊戯装置に関し、使用形態を自由に変更できるような猫用遊戯装置に関する。
【背景技術】
【０００２】
使用形態を自由に変更できる猫用遊戯装置として、下記特許文献１に開示されたものがある。この遊戯装置は、四角柱状で中空の柱体と、この柱体の側板に設けられた複数の挿入口に挿脱可能な板状のステップ部材で構成されている。使用に際しては、複数のステップ部材を柱体の挿入口に適宜差し込んで所望の形態にする。
【０００３】
このような遊戯装置は、ステップ部材の組み付け方によって多様な形態にすることができ、変更の自由度は高い。
【０００４】
しかし、支柱は内部に猫がはいれる構造ではなく、猫はステップ部材における支柱の周りに張り出している部分に乗るだけである。ステップ板を多く取り付けることによって多数の猫を遊戯させることができるものの、猫の遊戯自由度は高くない。
【０００５】
下記特許文献２の遊戯装置は、階段状のステップ板を有し、ステップ板の下に空間を有する構成であり、空間に猫がはいれるように穴からなる移動通路が形成されている。猫は内部の空間に入ることができるが、組み替えの自由さはない。また、遊戯装置は全体的として箱を組み合わせたような構造であって、内部の空間に猫が入ることはできるものの、猫が空間に出入りする通路は丸い穴であるので遊戯する猫の自由さは高くない。
【０００６】
下記特許文献３の遊戯装置は、格子状に形成されて起立する平板枠状の本体に、板状の棚部材が前方に突出するように取り付けられた構成である。この遊戯装置では、棚部材の組み替えの自由さはあるが、本体が平面的であり、内部に猫がはいれるような構成ではない。また、棚部材は平板枠状の本体に取り付けられるので、桟のような線状の部分に取り付けられることになる。このため、取り付け部に大きな荷重がかかるため、大型の猫が乗っても十分に支えられる強度をもたせることは難しい。
【先行技術文献】
【特許文献】
【０００７】
【特許文献１】登録実用新案第３１９８７５２号公報
【特許文献２】登録実用新案第３１９６８８８号公報
【特許文献３】特許第４６８６６１３号公報
【発明の概要】
【発明が解決しようとする課題】
【０００８】
この発明は、猫が乗る猫乗り部材の組み替え自由度も猫の遊戯自由度も高く、多数の猫が乗っても、また大型の猫が乗っても十分な支持が可能な強度が得られるようにすることを主な目的とする。
【課題を解決するための手段】
【０００９】
そのための手段は、猫が乗る複数の猫乗り部材が上下に間隔をあけて着脱可能に備えられた猫用遊戯装置であって、間隔をあけて配設されて上下に延びる３本又は４本の支柱を一組とする支柱群と、前記支柱間を横切る上下に複数段の横架部と、前記支柱間に差し込まれて前記横架部に着脱自在に取り付けられる前記猫乗り部材を備え、前記支柱群の内側領域のうち同一高さの前記横架部を有する仮想平面における前記横架部の、前記支柱群の中心点を中心とする仮想円周上に、前記猫乗り部材を固定する複数の固定部が形成され、前記猫乗り部材の前記固定部に対応する位置に、前記固定部と結合する被固定部が形成され、前記固定部が、前記猫乗り部材の差し込み方向を変更しても取り付け可能とする対称配置で形成された猫用遊戯装置である。
【００１０】
この構成では、支柱群と横架部と、横架部に形成された特定配置の固定部と、これらの固定部に結合する被固定部を有した猫乗り部材が、猫乗り部材の多様な組み替えを可能にする。また、支柱群と猫乗り部材で構成する猫の遊戯空間は、猫乗り部材で上下に区切られた空間にも猫が行き来しやすい開放的な空間であり、猫乗り部材の組み替え自由度の高さも相まって、遊戯自由度を高める。猫乗り部材を取り付ける横架部は３本又は４本の支柱に支持されるので、猫乗り部材の取り付けは面で強固に行える。
【発明の効果】
【００１１】
この発明によれば、形態の変更が自由に行えるうえに、猫の遊戯自由度も高く、多数の猫や大型の猫が遊戯しても十分な支持が可能な強度を得られる。
【図面の簡単な説明】
【００１２】
【図１】猫用遊戯装置の斜視図。
【図２】猫用遊戯装置の正面図。
【図３】猫用遊戯装置の側面図。
【図４】図２のＡ−Ａ断面図。
【図５】横架部を示す断面図。
【図６】図２のＢ−Ｂ断面図。
【図７】板部材の底面図。
【図８】板部材の固定状態を示す断面図。
【図９】板部材の固定状態を示す断面図。
【図１０】板部材の取り付け態様を示す平面図。
【図１１】ハンモックの平面図。
【図１２】ハンモックの取り付け状態を示す正面図。
【図１３】猫用遊戯装置の斜視図。
【図１４】猫用遊戯装置の斜視図。
【図１５】他の例に係る猫用遊戯具の要部の平面図。
【図１６】他の例に係る猫用遊戯具の要部の平面図。
【図１７】他の例に係る猫用遊戯具の要部の平面図。
【発明を実施するための形態】
【００１３】
この発明を実施するための一形態を、以下図面を用いて説明する。
【００１４】
図１に、猫用遊戯装置１１（以下、「遊戯装置」という）の使用状態を示している。この遊戯装置１１は天井Ｃと床Ｆとの間に突っ張って設置される構造のものであり、状況に応じて使用形態を変更できるうえに、猫の頭数が多い場合や猫が大型である場合でも好適に使用できるものである。
【００１５】
遊戯装置１１は、猫が乗る複数の猫乗り部材１２を上下に間隔をあけて着脱可能に備えており、全体として柱状で上下方向に延びている。
【００１６】
遊戯装置１１の本体部１３は、間隔をあけて配設されて上下に延びる３本又は４本の支柱１４を一組とする支柱群１５と、この支柱群１５の支柱１４間を横切る横架部１６を有する。横架部１６は、上下に複数段、適宜間隔をあけて配設されている。
【００１７】
具体的には、遊戯装置１１の正面図である図２、側面図である図３、図２のＡ−Ａ断面図である図４に示したように、遊戯装置１１は支柱群１５を４本の支柱１４で構成している。これら支柱１４のうち２本の支柱１４と複数、図示例では５個の横架部１６で片フレーム１７を構成して、この片フレーム１７を一対備える。これら片フレーム１７は、連結部材１８で互いに連結されて、前述の本体部１３となる。
【００１８】
片フレーム１７は、一定間隔で平行に並べられた２本の支柱１４と、これら支柱１４間に支柱１４の長手方向に沿って適宜の間隔をあけて配設された横連結材２１で梯子状に形成されている。２本の支柱１４の下端は、横連結材２１よりも長い角柱状のベース部材２２の上面に結合されている。ベース部材２２の下には高さ調節のためのアジャスタ２３が取り付けられている。
【００１９】
支柱１４は角パイプで構成されている。遊戯装置１１が前述のように天井Ｃと床Ｆとの間に突っ張って固定される構造であるため、支柱１４には高さが必要である。このため支柱１４は、複数本の支柱担体１４ａ、図示例では２本の支柱担体１４ａを長手方向に連結一体化して構成される。これは梱包や運搬等の便宜のためである。支柱担体１４ａ同士の連結部分は、図２、図３に示したように支柱担体１４ａの端部に挿入される補助金具１４ｂを有し、この補助金具１４ｂが支柱担体１４ａの外面からねじ１４ｃで固定される。
【００２０】
片フレーム１７を構成する２本の支柱１４のうち一方の支柱１４（使用時に手前側に位置させるのに適した支柱）と、他方の支柱１４（使用時に奥側に位置させるのに適した支柱）で長さを異にし、他方の支柱１４の方を長く設定している。この他方の支柱１４は、前述した突っ張りのための突っ張り手段２５を備える部位であり、他方の支柱１４の上端部に突っ張り手段２５が備えられる。
【００２１】
突っ張り手段２５は、適宜長さの角パイプからなる挿入軸部２５ａと、挿入軸部２５ａを支柱１４の上部に位置決めする位置決めボルト２５ｂと、挿入軸部２５ａの上端に備えられた押圧部材２５ｃと、押圧部材２５ｃの高さを微調整する微調節部２５ｄで構成される。
【００２２】
片フレーム１７を構成する支柱１４間に固定される横連結材２１も角パイプで構成されている。横連結材２１の支柱１４に対する固定は溶接等により行われる。横連結材２１は、横連結材２１をその長手方向と直交する方向での断面で示す図５や、図２のＢ−Ｂ断面図である図６に示したように、支柱１４よりも細い角パイプで構成され、内側面が支柱１４の内側面と面一になるように結合されている。
【００２３】
この横連結材２１の内側面にはアングル材２７が一体に結合され、前述の横架部１６が形成される。具体的には、アングル材２７は、横連結材２１の長さと同じか若干短く形成され、一方の片２７ａの外面２７ｂが横連結材２１の上面２１ａと面一になるように他方の片２７ｃの外面が横連結材２１の内側面に結合されている。横連結材２１の上面とこれに面一のアングル材２７の上面、つまり一方の片２７ａの外面２７ｂが前述の横架部１６を構成する。この横架部１６に、支柱１４間に差し込まれる猫乗り部材１２が着脱自在に取り付けられる。
【００２４】
一対の片フレーム１７を連結する連結部材１８は、片フレーム１７間を所定間隔に保持して一体化する。連結部材１８は横連結材２１よりも細い所定長さの棒状であり、図６に示したように両端が支柱１４に対してボルト１８ａで固定される。連結部材１８の固定位置は、前述した突っ張り手段２５や横連結材２１との関係上、使用時に手前側に位置させるのに適した一方の支柱１４と、使用時に奥側に位置させるのに適した他方の支柱１４において、位置を違えている。
【００２５】
具体的には、連結部材１８は支柱１４ごとに２本ずつ、合計４本備え、図４に示したように、使用時に奥側に位置させるのに適した他方の支柱１４においては、突っ張り手段２５の挿入軸部２５ａを避けるため、２本のうちの上の連結部材１８の位置を下げる一方、使用時に手前側に位置させるのに適した一方の支柱１４では、２本のうちの上の連結部材１８の位置をそれよりも高い位置に設定している。一方の支柱１４と他方の支柱１４の下の連結部材１８の位置は適宜設定されるが、図示例では、一方の支柱１４の連結部材１８を、他方の支柱１４の連結部材１８の高さよりも低く設定している。４本の連結部材１８のうち、最下段の横連結材２１よりも下に位置する連結部材１８以外の連結部材１８については、横連結材２１より下であって、横連結材２１に近い位置に設定される。これは、猫の移動の自由を確保するためである。
【００２６】
一対の片フレーム１７を連結して構成される本体部１３の横架部１６は、前述したように猫乗り部材１２を取り付ける部位である。このため横架部１６には猫乗り部材１２を固定するための複数の固定部３１が形成され、猫乗り部材１２における固定部３１に対応する位置には、固定部３１と結合する被固定部４１（図７参照）が形成される。
【００２７】
固定部３１は、上に向けて突出する軸部などの適宜の構造とすることができるが、図示例では貫通穴で構成する例を示す。
【００２８】
固定部３１は次の位置に形成される。その位置は、図６に示したように、支柱群１５の内側領域のうち同一高さの横架部１６を有する仮想平面における横架部１６の、支柱群１５の中心点Ｐを中心とする仮想円周Ｒ（図６の一点鎖線）上であり、猫乗り部材１２の差し込み方向を変更しても取り付け可能とする対称配置で形成されている。横架部１６の中でも、貫通穴からなる固定部３１はアングル材２７に形成されるのが望ましい。
【００２９】
対称配置とは、線対称、点対称または回転対称となる配置であって、猫乗り部材１２の差し込み方向とその数に応じて設定される。
【００３０】
図６の例においては４本の支柱１４を有するので、猫乗り部材１２の差し込み方向は、横架部１６同士を結ぶ方向と連結部材１８同士を結ぶ方向の２方向存在する。このため、安定した強固な固定のためには最低４個の固定部３１が形成されることが好ましい。
【００３１】
これら４個の固定部３１は、これら固定部３１に対応して形成された被固定部４１を有する猫乗り部材１２の差し込み方向を変更しても共通に取り付けに使用される共用固定部であると、固定部３１の数を低減することができるのでよい。この場合には、４個の固定部３１は、図６に示したように、仮想円周Ｒ上に等間隔で配設されることになる。換言すれば、４個の固定部３１は、それぞれの中心を直線で結ぶと正方形となる位置に配設されている。
【００３２】
なお、前述のアングル材２７の長さや幅、連結部材１８の長さなどは、前述のような固定部３１を形成できるように寸法設定される。
【００３３】
猫乗り部材１２は適宜の構造に形成されるが、この例では乗り部材１２として板部材１２ａとハンモック１２ｂを備える。
【００３４】
板部材１２ａは、図１に示したように長方形板状であり、支柱１４間に差し込み可能な幅で、支柱１４間の長さよりも長く形成されている。図７は板部材１２ａの裏面を示す平面図であり、この図に示したように板部材１２ａには、本体部１３の横架部１６に形成した固定部３１に対応する位置に固定部３１と結合する被固定部４１が形成されている。つまり被固定部４１は、固定部３１と同様に、仮想円周Ｒ上に等間隔で４個、板部材１２ａの向きに合わせて形成されている。板部材１２ａの向きに合わせるとは、４個の被固定部４１を結ぶ直線が板部材１２ａの輪郭と平行にすることである。
【００３５】
被固定部４１は、固定部３１の構造に対応させて適宜の構成とすることができるが、この例では、貫通穴からなる固定部３１に挿通するボルト４２（図８参照）が螺合するねじ穴で構成している。
【００３６】
これらの被固定部４１は、平面視長方形をなす板部材１２ａの長手方向の中間に形成してもよいが、この例では、長手方向に偏った位置、具体的には長手方向の一方に偏った位置に形成されている。
【００３７】
図８、図９は板部材１２ａの固定状態を示し、図８は板部材１２ａの長手方向に沿って切断した状態を示し、図９はそれとは直角の方向に沿って切断した状態を示す。これらの図に示すように板部材１２ａは、一対の横架部１６によって面で支持され、横架部１６の下から挿入されるボルト４２によって強固に固定される。
【００３８】
また、板部材１２ａの被固定部４１は前述のように長手方向に偏った位置に形成されているので、図１０に示したように、板部材１２ａは、遊戯装置１１の４つの側面のいずれか一方に長く延ばして取り付けるかを選択できることになる。
【００３９】
ハンモック１２ｂは、枠体４３と、枠体４３内で弛んだ状態で取り付けられる柔軟なシート部材４４で構成されており、板部材１２ａと同様に平面視長方形に形成されている。そして枠体４３の長手方向の一方に偏った位置には、平面図である図１１に示したように、仮想円周Ｒ上に等間隔で４個、ハンモック１２ｂの向きに合わせて形成されている。ハンモック１２ｂの被固定部４１は、板部材１２ａの被固定部４１と同じ太さのボルト４２が挿通される貫通穴からなる。
【００４０】
ハンモック１２ｂは、図１２に示したように、枠体４３の上らか挿入したボルト４２の先端部を横架部１６の下側からナット４５で締めて固定される。
【００４１】
以上のように構成された遊戯装置１１は、突っ張り手段２５を利用して所望の位置に設置して、猫乗り部材１２、つまり板部材１２ａやハンモック１２ｂを遊戯装置１１の設置位置や猫の頭数などの諸条件に応じて適宜、所望の位置に所望の向きで取り付けて使用する。
【００４２】
図１に示した例では、室内のコーナ部を避けて設置しており、遊戯装置１１の突っ張り手段２５を有する側を壁側に位置させて、最上段の横架部１６にハンモック１２ｂを手前側に突出させて固定し、それより下の横架部１６に板部材１２ａを左右方向に交互に突出させて固定している。
【００４３】
遊戯装置１１を室内のコーナ部に設置する場合には、例えば図１３に示したように、室内の壁面に沿って、つまりコーナ部の形に沿って猫乗り部材１２が本体部１３の側面から突出するように猫乗り部材１２を取り付けるとよい。
【００４４】
遊戯装置１１を壁面から離して設置する場合には、例えば図１４に示したように、突っ張り手段２５を有する背面側にも猫乗り部材１２を突き出して使用できる。図１４に示したように猫乗り部材１２を手前側と奥側に突出させる場合には、背面側を室内のコーナ部に向けて壁面に対して斜めに設置することもできる。
【００４５】
このように使用される遊戯装置１１は、猫乗り部材１２の取り付け方の自由度が非常に高く、状況に応じた適切な使用が期待できる。猫乗り部材１２として板部材１２ａとハンモック１２ｂの２種類を有し、それぞれどの位置にも取り付け可能であるので、使用形態はさらに広げられる。しかも、遊戯装置１１は支柱１４と支柱１４間に棚のように配設される猫乗り部材１２で構成されるうえに、片フレーム１７同士を連結する連結部材１８は横連結材２１よりも細く形成され、横連結材２１の固定位置は前述のように工夫して設定されているので、猫は動きやすく、猫にとって遊戯自由度の高いものとなる。
【００４６】
また、遊戯装置１１は３本又は４本の支柱１４を有する支柱群１５で構成されるので、猫乗り部材１２を面で支えることができる。このため、猫乗り部材１２の高い固定強度を得られるので、多頭飼いの場合でも、大型の猫がいる場合でも使用可能な十分な強度を得られる。しかも、遊戯装置１１は突っ張り手段２５を有しており、強固に固定されるので、猫の頭数が多くても体重が重くても、しっかりと安定して支えられる遊戯装置となる。
【００４７】
特に、固定部３１は、猫乗り部材１２の差し込み方向を変更しても共通に取り付けに使用される共用固定部であるので、多数の固定部３１を形成する場合に比して、固定部３１の数を極力少なくできる。このため、横架部１６の強度を確保できるうえに、猫乗り部材１２の着脱や付け替え作業の簡素化もはかれる。
【００４８】
また、固定部３１は横架部１６のうち、支柱１４の内側面よりも内側のアングル材２７部分に形成して、一対の片フレーム１７にそれぞれ２個ずつ形成し、片フレーム１７同士を連結する連結部材１８を４本として本体部１３を構成しているので、全体として部品点数を低減することができる。
【００４９】
以下、その他の例について説明する。この説明において、前述の構成と同一の部位については同一の符号を付してその詳しい説明を省略する。
【００５０】
図１５は、本体部１３の横架部１６と、猫乗り部材１２の概略構造の平面を示しており、横架部１６の固定部３１が共用固定部でない例を示している。つまり、４個で一組の固定部３１群は、それぞれの固定部３１の中心を直線で結ぶと長方形となるように配置され、このような固定部３１群を２つ、９０度の角度差をつけて備えている。
【００５１】
猫乗り部材１２の被固定部４１は、一組の固定部３１群に対応する、４個で一組の被固定部４１群を１つ有している。
【００５２】
図１６は、図１５の例と同様に、横架部１６の固定部３１が共用固定部でない例を示しており、固定部３１の形成位置を、支柱１４間の位置に形成した例を示している。
【００５３】
図１７は、支柱群１５を３本の支柱１４で構成した遊戯装置１１の例を示している。すなわち支柱１４を、平面視正三角形を描くように平行に配置し、支柱１４間位置に横架部１６が形成されている。このように３本の支柱１４を有するので、猫乗り部材１２の差し込み方向は、３つの横架部１６のうち２つの横架部１６同士を結ぶ方向の３方向存在する。このため、安定した強固な固定のためには最低３個、好ましくは６個の固定部３１を形成するとよい。
【００５４】
猫乗り部材１２の被固定部４１は、一組の固定部３１群に対応する６個で一組の被固定部４１群を２つ、対称に備えている。
【００５５】
以上の構成はこの発明を実施するための一形態であり、この発明は前述の構成のみに限定されるものではなく、その他の構成を採用することもできる。
【００５６】
例えば、本体部１３は複数の支柱群１５を複数備えて構成してもよい。この場合には、一部の支柱１４を共用にしてもよい。
【符号の説明】
【００５７】
１１…猫用遊戯装置
１２…猫乗り部材
１２ａ…板部材
１２ｂ…ハンモック
１４…支柱
１５…支柱群
１６…横架材
１７…片フレーム
１８…連結部材
２５…突っ張り手段
３１…固定部
４１…被固定部
Ｃ…天井
Ｆ…床
Ｐ…中心点
Ｒ…仮想円周
【図１】
2018102232.tif 000003
【図２】
2018102232.tif 000004
【図３】
2018102232.tif 000005
【図４】
2018102232.tif 000006
【図５】
2018102232.tif 000007
【図６】
2018102232.tif 000008
【図７】
2018102232.tif 000009
【図８】
2018102232.tif 000010
【図９】
2018102232.tif 000011
【図１０】
2018102232.tif 000012
【図１１】
2018102232.tif 000013
【図１２】
2018102232.tif 000014
【図１３】
2018102232.tif 000015
【図１４】
2018102232.tif 000016
【図１５】
2018102232.tif 000017
【図１６】
2018102232.tif 000018
【図１７】
2018102232.tif 000019